(57)【要約】  本発明は、端末によりサポートされる最大ＣＳＩプロセスの個数を維持する段階と、少なくとも１つのＣＳＩプロセスレポート関連情報を受信する段階と、前記端末によりサポートされる前記最大ＣＳＩプロセスの個数によりアップデートされるＣＳＩの個数を決定する段階と、前記決定したアップデートされるＣＳＩの個数により少なくとも１つのＣＳＩを生成する段階と、及び前記生成されたＣＳＩにより基地局(ｅＮＢ)にＣＳＩレポートを送信する段階と、を含む。
2015520579.tif 000002
【特許請求の範囲】
【請求項１】
通信システムにおいて、端末(ＵＥ)の通信方法であって、
前記端末によりサポートされる最大ＣＳＩプロセスの個数を維持する段階と、
少なくとも１つのＣＳＩプロセスレポート関連情報を受信する段階と、
前記端末によりサポートされる前記最大ＣＳＩプロセスの個数によりアップデートされるＣＳＩの個数を決定する段階と、
前記決定したアップデートされるＣＳＩの個数により少なくとも１つのＣＳＩを生成する段階と、及び
前記生成されたＣＳＩにより基地局(ｅＮＢ)にＣＳＩレポートを送信する段階と、を含む端末の通信方法。
【請求項２】
前記少なくとも１つのＣＳＩを生成する段階は、
前記決定した生成されるＣＳＩの個数に基づいてＣＳＩプロセスの低いインデックスによって少なくとも１つのＣＳＩを生成する段階を含むことを特徴とする、請求項１に記載の端末の通信方法。
【請求項３】
前記端末によりサポートされる最大ＣＳＩプロセスの個数を送信する段階をさらに含むことを特徴とする、請求項１に記載の端末の通信方法。
【請求項４】
通信システムにおいて、基地局(ｅＮＢ)の通信方法であって、
端末(ＵＥ)によりサポートされる最大ＣＳＩプロセスの個数を獲得する段階と、
少なくとも１つのＣＳＩプロセスレポート関連情報を送信する段階と、
前記端末によりサポートされる最大ＣＳＩプロセスの個数によりアップデートされるＣＳＩの個数を決定する段階と、及び
前記決定したアップデートされるＣＳＩの個数によりアップデートされたＣＳＩに基づいて端末から少なくとも１つのＣＳＩレポートを受信する段階と、を含む基地局の通信方法。
【請求項５】
前記端末からＣＳＩレポートを受信する段階は、
前記決定したアップデートされるＣＳＩの個数に基づいてＣＳＩプロセスの低いインデックスによってアップデートされたＣＳＩに基づいて端末からＣＳＩレポートを受信する段階を含むことを特徴とする、請求項４に記載の基地局の通信方法。
【請求項６】
前記端末によりサポートされる最大ＣＳＩプロセスの個数を受信する段階をさらに含むことを特徴とする、請求項４に記載の基地局の通信方法。
【請求項７】
通信システムの端末(ＵＥ)であって、
基地局(ｅＮＢ)と通信する通信部と、及び
前記端末によりサポートされる最大ＣＳＩプロセスの個数を維持し、少なくとも１つのＣＳＩプロセスレポート関連情報を受信し、前記端末によりサポートされる前記最大ＣＳＩプロセスの個数によりアップデートされるＣＳＩの個数を決定し、前記決定したアップデートされるＣＳＩの個数により少なくとも１つのＣＳＩを生成し、前記生成されたＣＳＩによって基地局(ｅＮＢ)にＣＳＩレポートを送信するように制御する制御部と、を含む端末。
【請求項８】
前記制御部は、前記決定した生成されるＣＳＩの個数に基づいてＣＳＩプロセスの低いインデックスによって少なくとも１つのＣＳＩを生成するように制御することを特徴とする、請求項７に記載の端末。
【請求項９】
前記制御部は、前記端末によりサポートされる最大ＣＳＩプロセスの個数を送信するように制御することを特徴とする、請求項７に記載の端末。
【請求項１０】
通信システムの基地局(ｅＮＢ)であって、
端末(ＵＥ)と通信する通信部と、及び
前記端末によりサポートされる最大ＣＳＩプロセスの個数を獲得し、少なくとも１つのＣＳＩプロセスレポート関連情報を送信し、前記端末によりサポートされる最大ＣＳＩプロセスの個数によりアップデートされるＣＳＩの個数を決定し、前記決定したアップデートされるＣＳＩの個数によりアップデートされたＣＳＩに基づいて端末から少なくとも１つのＣＳＩレポートを受信するように制御する制御部と、を含む基地局。
【請求項１１】
前記制御部は、前記決定したアップデートされるＣＳＩの個数に基づいてＣＳＩプロセスの低いインデックスによってアップデートされたＣＳＩに基づいて端末からＣＳＩレポートを受信するように制御することを特徴とする、請求項１０に記載の基地局。
【請求項１２】
前記制御部は、前記端末によりサポートされる最大ＣＳＩプロセスの個数を受信するように制御することを特徴とする、請求項１０に記載の基地局。
【発明の詳細な説明】
【技術分野】
【０００１】
本発明は、複数個の基地局が存在するセルラ(ｃｅｌｌｕｌａｒ)無線通信システムにおいて、端末のチャンネル推定方法及び装置に関し、特に多数の基地局が協力して端末のダウンリンク送信をサポートする協力システム(Ｃｏｏｐｅｒａｔｉｖｅ ｍｕｌｔｉ-ｐｏｉｎｔ：ＣｏＭＰ)で効率的にチャンネルを推定する方法及び装置に関する。
【背景技術】
【０００２】
無線通信システムは、初期の音声中心のサービスの提供から脱してデータサービス及びマルチメディアサービス提供のために高速、ハイクオリティーの無線パケットデータ通信システムに発展しつつある。近年、３ＧＰＰのＨＳＤＰＡ(Ｈｉｇｈ Ｓｐｅｅｄ Ｄｏｗｎｌｉｎｋ Ｐａｃｋｅｔ Ａｃｃｅｓｓ)、ＨＳＵＰＡ(ｈｉｇｈ ｓｐｅｅｄ ｕｐｌｉｎｋ ｐａｃｋｅｔ ａｃｃｅｓｓ)、ＬＴＥ(Ｌｏｎｇ Ｔｅｒｍ Ｅｖｏｌｕｔｉｏｎ)、ＬＴＥ−Ａ(ｌｏｎｇ ｔｅｒｍ ｅｖｏｌｕｔｉｏｎ ａｄｖａｎｃｅｄ)、３ＧＰＰ２のＨＲＰＤ(Ｈｉｇｈ Ｒａｔｅ Ｐａｃｋｅｔ Ｄａｔａ)、及びＩＥＥＥの８０２．１６等の多様な無線通信標準が高速、ハイクオリティーの無線パケットデータ送信サービスをサポートするために開発された。
【０００３】
ＬＴＥシステムは、高速無線パケットデータ送信を効率的にサポートするために開発されたシステムであり、多様な無線接続技術を活用して無線システム容量を最大化することができる。そしてＬＴＥ−Ａシステムは、ＬＴＥシステムの進歩された無線システムとしてＬＴＥと比べて向上したデータ送信能力を持っている。
【０００４】
ＨＳＤＰＡ、ＨＳＵＰＡ、ＨＲＰＤなどの現存する３世代無線パケットデータ通信システムは、送信効率を改善するために適応変調及び符号(ａｄａｐｔｉｖｅ ｍｏｄｕｌａｔｉｏｎ ａｎｄ ｃｏｄｉｎｇ：ＡＭＣ)方法とチャンネル感応スケジューリング方法などの技術を用いる。このとき、ＡＭＣ方法とチャンネル感応スケジューリング方法は受信機から部分的なチャンネル状態情報がフィードバック(ｆｅｅｄｂａｃｋ)されて最も効率的であると判断される時点に適切な変調及び符号技法を適用することができる。
【０００５】
ＡＭＣ方法が適用された無線パケットデータ通信システムにおいて送信機はチャンネル状態により送信するデータの量を調節することができる。即ち、送信機はチャンネル状態が良くなければ、送信するデータの量を減らして受信エラー確率を望む水準に合わせることができる。そしてチャンネル状態が良ければ、送信機は送信するデータの量を増やして受信エラー確率を望む水準に合わせると共に多くの情報を効果的に送信することができる。
【０００６】
チャンネル感応スケジューリングリソース管理方法が適用された無線パケットデータ通信システムにおいて、送信機は多数のユーザのうちでチャンネル状態が優れたユーザを選択的にサービスするので、一人のユーザにチャンネルを割り当ててサービスすることに比べてシステム容量が増加する。このような容量増加を、いわゆるマルチユーザダイバシティ(ｍｕｌｔｉ−ｕｓｅｒ ｄｉｖｅｒｓｉｔｙ)利得と言う。
【０００７】
ＡＭＣ方法は、ＭＩＭＯ(ｍｕｌｔｉｐｌｅ ｉｎｐｕｔ ｍｕｌｔｉｐｌｅ ｏｕｔｐｕｔ)送信方式と共に用いられる場合、送信される信号の空間階層(ｓｐａｔｉａｌ ｌａｙｅｒ)の個数又はランク(ｒａｎｋ)を決定する機能も含むことができる。この場合、ＡＭＣ方法が適用された無線パケットデータ通信システムは最適のデータ送信率(ｄａｔａ ｒａｔｅ)を決定するのに単純に符号率と変調方式のみを考えずＭＩＭＯを用いて幾つかの階層(ｌａｙｅｒ)に送信するかも考慮するようになる。
【０００８】
一般的に、ＣＤＭＡ方式に比べてＯＦＤＭＡ方式で容量増大を期待することができると知られている。ＯＦＤＭＡ方式で容量増大となる様々な原因中の１つが周波数軸上におけるスケジューリング(ｆｒｅｑｕｅｎｃｙ ｄｏｍａｉｎ ｓｃｈｅｄｕｌｉｎｇ)を行うことができるということである。チャンネルが時間により変わる特性によってチャンネル感応スケジューリング方法を通じて容量利得を得たようにチャンネルが周波数により他の特性を活用すればより多い容量利得を得ることができる。
【０００９】
ここに最近２世代と３世代無線通信システムで用いられた多重接続方式であるＣＤＭＡ(ｃｏｄｅ ｄｉｖｉｓｉｏｎ ｍｕｌｔｉｐｌｅ ａｃｃｅｓｓ)を次世代システムからＯＦＤＭＡに転換するようとする研究が活発に進行されている。そして３ＧＰＰと３ＧＰＰ２はＯＦＤＭＡを用いる進化システムに関する標準化を進行し始めた。
【００１０】
図１は、ＬＴＥ−Ａシステムの送信フレーム(ｒａｄｉｏ ｆｒａｍｅ)構造を示す。
図１を参照すれば、１つの送信フレームは１０個のサブフレーム(ｓｕｂｆｒａｍｅ)で構成され、各サブフレームは２個のスロット(ｓｌｏｔ)で構成される。１つのフレーム内で各サブフレームは０から９までのインデックスをもって、各スロットは図１に示されたように０から１９までのインデックス(＃０〜＃１９)を持つ。
【００１１】
図２は、従来技術による各セル別に中央に送受信アンテナが配置されたセルラ無線通信システムを示す図面である。
【００１２】
図２を参照すれば、複数個のセルからなるセルラ無線通信システムにおいて特定端末(ｕｓｅｒ ｅｑｕｉｐｍｅｎｔ：ＵＥ)が長い時間(ｓｅｍｉ−ｓｔａｔｉｃ)区間の間の選択された１つのセルから前述した様々な方法を活用した無線通信サービスが提供される。
【００１３】
例えば、セルラ無線通信システムがセル１００、セル１１０、セル１２０の３個セルが構成されると仮定する。そしてセル１００はセル内に位置した端末１０１と端末１０２に対して無線通信サービスを提供し、セル１１０は端末１１１に対し、そしてセル１２０は端末１２１に対して無線通信サービスを提供し、参照番号１３０、１３１、１３２はそれぞれセル１００、セル１１０、セル１２０の基地局であることを仮定する。
【００１４】
セル１００を用いて無線通信サービスが提供される端末１０２は、端末１０１と比べて基地局１３０からの距離が相対的に遠い。また、端末１０２はさらに他のセル１２０の中央アンテナから大きい干渉を経験するからセル１００からサポートされるデータ送信速度が相対的に低くなる。
【００１５】
セル１００、１１０、１２０で互いに独立的に無線通信サービスが提供される場合、セル別にダウンリンクチャンネル状態を測定するために基地局はチャンネル推定のための基準信号(ｒｅｆｅｒｅｎｃｅ ｓｉｇｎａｌ；ＲＳ)を送信する。そして３ＧＰＰ ＬＴＥ−Ａシステムの場合、端末は基地局が送信するＣＳＩ−ＲＳ(ｃｈａｎｎｅｌ ｓｔａｔｕｓ ｉｎｆｏｒｍａｔｉｏｎ ｒｅｆｅｒｅｎｃｅ ｓｉｇｎａｌ；チャンネル情報用基準信号)を用いて基地局と当該端末の間のチャンネル状態を測定してする。
【００１６】
図３は、従来技術によるＬＴＥ−Ａシステムで基地局が端末に送信するリソースブロック(ｒｅｓｏｕｒｃｅ ｂｌｏｃｋ)内でＣＳＩ−ＲＳの位置の一例を示す図面である。図３でリソースブロックに割り当てられた各信号の説明は図３に示されたことと同様であり、具体的な定義はＬＴＥ−Ａシステムの関連標準による。
【００１７】
図３を参照すれば、参照番号２００から２１９まで各位置別に２つのＣＳＩ−ＲＳアンテナフォトに対する信号が送信されることができる。例えば、基地局は参照番号２００の位置でダウンリンク測定のための２つのＣＳＩ−ＲＳを端末に送信する。図２に示されたように複数個のセルからなるセルラ無線通信システムの場合、各セル別にリソースブロック(ｒｅｓｏｕｒｃｅ ｂｌｏｃｋ)内の別途の位置が割り当てられてＣＳＩ−ＲＳが送信される。例えば、図２に示されたセル１００の場合、参照番号２００位置でＣＳＩ−ＲＳが、セル１１０の場合、参照番号２０５位置でＣＳＩ−ＲＳが、セル１２０の場合、参照番号２１０位置でＣＳＩ−ＲＳが送信されることができる。このようにセル別に互いに異なる位置でＣＳＩ−ＲＳ送信のための時間及び周波数リソースを割り当てることは互いに異なるセルのＣＳＩ−ＲＳが互いに相互干渉を発生させることを防止するためである。
【００１８】
ダウンリンクでＣＳＩ−ＲＳが送信されるサブフレームはＲＲＣ(ｒａｄｉｏ ｒｅｓｏｕｒｃｅ ｃｏｎｔｒｏｌ)信号に伝達されるパラメーターであるICSI-RSにより決定される。端末はICSI-RSを受信すれば表１を通じてＣＳＩ−ＲＳが送信されるサブフレームの周期TCSI-RSと、ＣＳＩ−ＲＳが送信されるサブフレームのオフセットΔCSI-RSを決定する。
【００１９】
【表１】
2015520579.tif 000003
【００２０】
そして端末は、以下の数式１を満足するサブフレームでＣＳＩ−ＲＳを受信する。
【００２１】
【数１】
2015520579.tif 000004
【００２２】
数式１でnfは送信フレーム番号を示し、nsは送信フレーム内でのスロット番号を示す。
【００２３】
一方、図２に示されたセルラ無線通信システムの場合、セルの端に位置する端末は他のセルからの干渉が大きく作用して高いデータ送信率がサポートされるのに限界が存在する。即ち、セル内の端末の位置は基地局が端末に高速のデータサービスを提供するためのデータ送信率を割り当てることができるかに対して影響を及ぼすことができる。その結果、従来のセルラ無線通信システムはセル中央で相対的に近くに位置した端末の場合、高い送信率でデータを送受信することができるが相対的に遠い所に位置した端末の場合、高い送信率を保証し難い。
【００２４】
このようにセル端に位置する端末に高い送信率でデータサービスを提供し、高いデータ送信率を提供するサービス領域を拡大するためにＬＴＥ−Ａシステムでは多数のセルが端末に協力送信を行う、いわゆるＣｏＭＰ(Ｃｏｏｒｄｉｎａｔｅｄ Ｍｕｌｔｉ Ｐｏｉｎｔ)送信技術が提案された。そしてＣｏＭＰ送信技術が適用される場合、端末が幾つかのセルに対してチャンネルを推定するように端末別に多数のセルから送信される多数のＣＳＩ−ＲＳが割り当てられることができ、端末は幾つかのＣＳＩ−ＲＳを受信して効率的に多数のチャンネルを推定しなければならない。
【発明の概要】
【発明が解決しようとする課題】
【００２５】
これにより、本発明は上述した問題点及び／又は短所のうちで少なくとも１つを解決し、次のような長所を提供するためのものである。
【００２６】
本発明はセルラ無線通信システムにおいてセル端に位置した端末のために隣接したセルがセルの間の協力送信(Ｃｏｏｐｅｒａｔｉｖｅ ｍｕｌｔｉ−ｐｏｉｎｔ； ＣｏＭＰ)を通じて互いに協力してデータを送信する端末のチャンネル測定方法及び装置を提供することを目的とする。
【００２７】
また、本発明はセルラ無線通信システムにおいてセルは協力がない場合と対比して向上した無線通信サービスを提供する端末のチャンネル測定方法及び装置を提供することを目的とする。
【００２８】
また、本発明は、端末はセル端に存在する場合、自分がデータを受信しようとするセルを動的に決定するようにする端末のチャンネル測定方法及び装置を提供することを目的とする。
【課題を解決するための手段】
【００２９】
前記目的を達成するために、無線通信システムにおいて端末のＣＳＩレポート送信方法が提供される。前記方法は、前記端末によりサポートされる最大ＣＳＩプロセスの個数を維持する段階と、少なくとも１つのＣＳＩプロセスレポート関連情報を受信する段階と、前記端末によりサポートされる前記最大ＣＳＩプロセスの個数によりアップデートされるＣＳＩの個数を決定する段階と、前記決定したアップデートされるＣＳＩの個数により少なくとも１つのＣＳＩを生成する段階と、及び前記生成されたＣＳＩによって基地局(ｅＮＢ)にＣＳＩレポートを送信する段階と、を含むことができる。
【００３０】
前記目的を達成するために、無線通信システムにおいて基地局のＣＳＩレポート受信方法が提供される。前記方法は、端末(ＵＥ)によりサポートされる最大ＣＳＩプロセスの個数を獲得する段階と、少なくとも１つのＣＳＩプロセスレポート関連情報を送信する段階と、前記端末によりサポートされる最大ＣＳＩプロセスの個数によりアップデートされるＣＳＩの個数を決定する段階と、及び前記決定したアップデートされるＣＳＩの個数によりアップデートされたＣＳＩに基づいて端末から少なくとも１つのＣＳＩレポートを受信する段階と、を含むことができる。
【００３１】
前記目的を達成するために、無線通信システムにおいてＣＳＩレポートを送信する端末が提供される。前記端末は、基地局(ｅＮＢ)と通信する通信部と、及び前記端末によりサポートされる最大ＣＳＩプロセスの個数を維持し、少なくとも１つのＣＳＩプロセスレポート関連情報を受信し、前記端末によりサポートされる前記最大ＣＳＩプロセスの個数によりアップデートされるＣＳＩの個数を決定し、前記決定したアップデートされるＣＳＩの個数により少なくとも１つのＣＳＩを生成し、前記生成されたＣＳＩによって基地局(ｅＮＢ)にＣＳＩレポートを送信するように制御する制御部と、を含むことができる。
【００３２】
また、前記目的を達成するために、無線通信システムにおいてＣＳＩレポートを受信する基地局が提供される。前記基地局は、端末(ＵＥ)と通信する通信部と、及び前記端末によりサポートされる最大ＣＳＩプロセスの個数を獲得し、少なくとも１つのＣＳＩプロセスレポート関連情報を送信し、前記端末によってサポートされる最大ＣＳＩプロセスの個数によりアップデートされるＣＳＩの個数を決定し、前記決定したアップデートされるＣＳＩの個数によりアップデートされたＣＳＩに基づいて端末から少なくとも１つのＣＳＩレポートを受信するように制御する制御部と、を含むことができる。
【発明の効果】
【００３３】
本発明によれば、セルラ無線通信システムでセル端に位置した端末のために隣接したセルがセルの間の協力送信(Ｃｏｏｐｅｒａｔｉｖｅ ｍｕｌｔｉ−ｐｏｉｎｔ；ＣｏＭＰ)を通じて互いに協力してデータを送信することができる。
【００３４】
また、セルラ無線通信システムでセルは協力がない場合と対比して向上した無線通信サービスを提供することができる。端末はセル端に存在する場合、自分がデータを受信しようとするセルを動的に決定することができる。
【００３５】
また、セル端に存在する端末に多数のセルが同時に情報を送信して端末の情報受信率を高めることができる。これを通じてセルラ移動通信システム内のすべての端末がセル内に自分が位置した位置に構わずに遍く高いデータ送信率を獲得することができる。
【図面の簡単な説明】
【００３６】
【図１】ＬＴＥ−Ａ システムの送信フレーム(ｒａｄｉｏ ｆｒａｍｅ)構造を示す図面である。
【図２】従来技術によるセル別に中央に送受信アンテナが配置された複数のセルを含むセルラ無線通信システムを示す図面である。
【図３】従来技術によるＬＴＥ−Ａシステムで基地局が端末に送信するＣＳＩ−ＲＳの位置を示す図面である。
【図４】ホン発明の実施形態によるセルラ無線通信システムの構造を示す図面である。
【図５】本発明の実施形態による基地局が端末に送信するＣＳＩ−ＲＳの位置を示す図面である。
【図６】本発明の実施形態によるチャンネル推定のためのＣＳＩ−ＲＳ測定方法を示す図面である。
【図７】本発明の実施形態による端末の構成を示す図面である。
【図８】本発明の実施形態による中央制御装置の構成を示す図面である。
【発明を実施するための形態】
【００３７】
以下、本発明の実施形態を添付した図面と共に詳しく説明する。また、本発明を説明するに当り関連する公知機能若しくは構成に対する具体的な説明が本発明の要旨を不必要にすることができると判断された場合、その詳細な説明は省略する。そして後述される用語は本発明における機能を考慮して定義された用語として、これはユーザ、運用者の意図又は慣例などにより変わることができる。よって、その定義は本明細書全般にわたった内容に基づいて下ろされなければならないでしょう。
【００３８】
また、本発明の実施形態を具体的に説明するに当り、ＯＦＤＭに基づく無線通信システム、特に３ＧＰＰ ＥＵＴＲＡ(ＬＴＥ−Ａ)標準を主な対象とするが、本発明は類似の技術的背景及びチャンネル形態を有するその他の通信システムにも本発明の範囲を大きく外れない範囲で少しの変形で適用可能であり、これは本発明の技術分野で熟練された技術的知識を有する者の判断で可能であろう。
【００３９】
セルラ無線通信システムは、限定された地域に複数個のセルを構築することによってなる。各セルは当該セル内での無線通信を専担する基地局がセル内の端末に無線通信サービスを提供する。この時、特定端末は半静的に(ｓｅｍｉ−ｓｔａｔｉｃ)決定された１つのセルからだけ無線通信サービスがサポートを受けるようになる。以下、このような無線通信システムを協力送信(ＣｏＭＰ)システムと対比して非協力送信(ｎｏｎ-ＣｏＭＰ(Ｃｏｏｐｅｒａｔｉｖｅ ｍｕｌｔｉ−ｐｏｉｎｔ))システムと称する。
【００４０】
前記ｎｏｎ-ＣｏＭＰシステムにおいてセル内に存在するすべての端末に提供される高速のデータ送信率は端末の位置がセル内でどこに位置するのかにより大きく変わる。即ち、セル中央に位置した端末は高いデータ送信率が提供されることができるが、相対的にセル端に近接するように位置する端末は高いデータ送信率が提供されることができない。
【００４１】
これと対比されるＣｏＭＰシステムはセル端に位置する端末をサポートするために複数個のセルが互いに協力してデータを送信するシステムである。この場合、ｎｏｎ-ＣｏＭＰシステムに対比して向上した無線通信サービスが提供されることができる。
【００４２】
本発明の一実施形態によれば、ＣｏＭＰシステムのうちでも動的セル選択(ｄｙｎａｍｉｃ ｃｅｌｌ ｓｅｌｅｃｔｉｏｎ；ＤＳ)方式、動的セル選択及びブランキング(ｄｙｎａｍｉｃ ｃｅｌｌ ｓｅｌｅｃｔｉｏｎ ｗｉｔｈ ｄｙｎａｍｉｃ ｂｌａｎｋｉｎｇ；ＤＳ／ＤＢ)方式、又は同時送信(ｊｏｉｎｔ ｔｒａｎｓｍｉｓｓｉｏｎ、ＪＴ)方式などを考慮して端末が多くのセルからのチャンネルを効率的に測定し、その測定結果をフィードバックする方案を提案する。
【００４３】
前記ＤＳ方式は端末がセル別にチャンネル状態を測定し、これに対するフィードバックを基地局に伝達すれば基地局がその端末でダウンリンクデータを送信するセルを動的に選択してデータを送信する方式を意味する。
【００４４】
そして、前記ＤＳ／ＤＢ方式は特定セルが他のセルに影響を与える干渉を減らすために前記特定セルがデータ送信をしないようにする方式を意味する。
【００４５】
前記ＪＴ方式は多くのセルで特定端末に同時にデータを送信する方法を意味する。
本発明の一実施形態によれば、ＬＴＥ−ＡシステムにＤＳ、ＤＳ／ＤＢ又はＪＴ方式などを効率的に適用するように端末のチャンネル推定方法を考案して協力送信システムでもチャンネル推定を効率的に行うことができるようにする。本発明の実施形態はＬＴＥ−ＡシステムにＤＳ、ＤＳ／ＤＢ又はＪＴ方式などに限定されず、多数のセル(基地局)がセル端に位置する端末に協力してデータを送信することができる各種無線通信システムに適用されることができる。
【００４６】
図４は、本発明の実施形態によるセルラ無線通信システムの構造を簡略に示す図面である。
【００４７】
図４を参考すれば、セルラ無線通信システムは説明の便宜上、３つのセル３００、３１０、３２０から構成された場合を仮定して説明する。また、本発明の実施形態で用いるセルは特定送信地点がサービスすることができるデータ送信領域を意味し、各送信地点はマクロ(ｍａｃｒｏ)領域内でマクロ(ｍａｃｒｏ)基地局とセル識別子(ｃｅｌｌ−ＩＤ)を共通で有するＲＲＨ(ｒｅｍｏｔｅ ｒａｄｉｏ ｈｅａｄ)であることもあり、各送信地点が互いに異なるｃｅｌｌ−ＩＤを有するマクロ(ｍａｃｒｏ)セル又はピコ(ｐｉｃｏ)セルであることもできる。
【００４８】
本発明の実施形態において中央制御装置は端末とデータを送受信し、送受信されたデータを処理することができる基地局などの装置を意味する。ここで各送信地点がｍａｃｒｏ基地局とｃｅｌｌ−ＩＤを共通で有するＲＲＨの場合にｍａｃｒｏ基地局を中央制御装置と称することができる。また、各送信地点が互いに異なるｃｅｌｌ−ＩＤを有するｍａｃｒｏセル又はｐｉｃｏセルの場合に各セルを統合して管理する装置を中央制御装置と称することができる。
【００４９】
セルラ無線通信システムは、少なくとも１つのセル３００、３１０、３２０、最も近いセルからデータを受信する端末３０１、３１１、３２１とセル３００、３１０、３２０からＣｏＭＰ送信を通じてデータを受信する端末３０２を含む。最も近いセルからデータを受信する端末３０１、３１１、３２１はそれぞれ自分が位置したセルに対するチャンネル推定のための基準信号、即ち、ＣＳＩ−ＲＳ(ｃｈａｎｎｅｌ ｓｔａｔｕｓ ｉｎｆｏｒｍａｔｉｏｎ ｒｅｆｅｒｅｎｃｅ ｓｉｇｎａｌ；チャンネル情報用基準信号)を通じてチャンネルを推定し、そのチャンネル推定結果を含むフィードバック情報を中央制御装置３３０に送信する。また、セルラ無線通信システムはそれぞれのセル３００、３１０、３２０の基地局３３１、３３２、３３３を含み、各基地局３３１、３３２、３３３は中央制御装置３３０と通信することができる。
【００５０】
しかし、図４で３つのセル３００、３１０、３２０からＣｏＭＰ方式を通じて送信されたデータを受信する端末３０２は前記３つのセル全部から送信されるセル別のＣＳＩ−ＲＳを通じて各セルのチャンネル状態を推定しなければならない。従って、端末３０２で行われるチャンネル推定のために中央制御装置３３０は端末３０２に各セルに該当する３つのＣＳＩ−ＲＳリソースを割り当てる。中央制御装置３３０が端末３０２にＣＳＩ−ＲＳを割り当てる方法を図５を参照して説明する。
【００５１】
図５は、本発明の実施形態により基地局が端末に送信するＣＳＩ−ＲＳリソースの位置の一例を示す図面である。図５でリソースブロックに割り当てられた各信号の説明は図３に示したことと同様であり、具体的な定義はＬＴＥ−Ａシステムの関連標準による。
【００５２】
図５を参照すれば、中央制御装置３３０はＣｏＭＰ送信を受ける端末３０２が３つのセル３００、３１０、３２０からチャンネルをそれぞれ推定することができ、制御情報及びシステム情報のためのチャンネルを推定するように３つのＣＳＩ−ＲＳをそれぞれのリソース４０１、４０２、４０３に割り当てて、当該リソースを用いてＣＳＩ−ＲＳを送信する。即ち、セル３００のチャンネル推定のためのＣＳＩ−ＲＳが割り当てられるリソースは参照番号４０１であり、セル３１０のチャンネル推定のためのＣＳＩ−ＲＳが割り当てられるリソースは参照番号４０２であり、セル３２０のチャンネル推定のためのＣＳＩ−ＲＳが割り当てられるリソースは参照番号４０３である。このようにＣｏＭＰ送信を通じて多数のセルからデータを受信する端末のセル別のチャンネル推定のために送信される少なくとも１つのＣＳＩ−ＲＳが割り当てられたリソースを含む集合又はそのＣＳＩ−ＲＳリソースに該当するセルを含む集合を測定集合(ｍｅａｓｕｒｅｍｅｎｔ ｓｅｔ)と称する。
【００５３】
図５においては１つのリソースブロック内で３つのセルのための３つのＣＳＩ−ＲＳリソースが同時に割り当てられる場合で説明したが、１つの端末に割り当てられた幾つかのＣＳＩ−ＲＳは送信されるサブフレームが各ＣＳＩ−ＲＳ別に別度に設定されて端末で提供される。即ち、前記表１に示したＣＳＩ−ＲＳ関連パラメーターであるICSI-RSが３つのセルに対するＣＳＩ−ＲＳリソース ４０１、４０２、４０３に対してそれぞれ伝達しなければならない。端末はICSI-RSを受信すれば前記送信タイミング情報として、例えば表１を通じてＣＳＩ−ＲＳが送信されるサブフレームの周期TCSI-RSと、ＣＳＩ−ＲＳが送信されるサブフレームのオフセットΔCSI-RSを獲得することができる。また、前記測定集合内の各ＣＳＩ−ＲＳが幾つかの送信アンテナ個数に該当するかに対する情報も端末に共に伝達しなければならない。そして各ＣＳＩ−ＲＳの送信電力及び各セル別のＭＢＳＦＮ(Ｍｕｌｔｉｍｅｄｉａ Ｂｒｏａｄｃａｓｔ ｍｕｌｔｉｃａｓｔ ｓｅｒｖｉｃｅ Ｓｉｎｇｌｅ Ｆｒｅｑｕｅｎｃｙ Ｎｅｔｗｏｒｋ)サブフレームに関する情報も共に伝達することができる。
【００５４】
上記のように協力送信を考慮すれば端末は幾つかのセルに対するチャンネルを推定しなければならなく、これのために幾つかのＣＳＩ−ＲＳが割り当てられることができる。また、１つの端末に割り当てられた幾つかのＣＳＩ−ＲＳは図５のようにそれぞれ１つのリソースブロック内での別途のリソース位置を有することができ、別途の送信周期とオフセットを有するように設定されることもできる。即ち、図４の端末３０２は各ＣＳＩ−ＲＳの送信周期とオフセット設定により３つのセル３００、３１０、３２０に該当する３つのＣＳＩ−ＲＳを全ての同一のサブフレームタイミングに送信されることもできて、２つのＣＳＩ−ＲＳは同じリソースブロック内で同じサブフレームタイミングに送信され、残り１つは他のサブフレームタイミングに送信されることもでき、又は３つのＣＳＩ−ＲＳ全部を他のサブフレームタイミングに送信されることもできる。前記３つのＣＳＩ−ＲＳが割り当てられるタイミングに対する３つの場合は１つの端末が３つのセルに対するチャンネルを別途のＣＳＩ−ＲＳを通じて推定することができるという点で同一効果を奏するが、１つのサブフレームタイミングに３つのＣＳＩ−ＲＳを全部受信して当該３つのチャンネルを全部推定するためには時間当り用いられるハードウェア複雑度が非常に大きくなってＣＳＩ−ＲＳを受信したタイミングと関連チャンネル推定及びフィードバック情報生成の結果を得るタイミングに大きい差をもたらすこともできる。このようなＣＳＩ−ＲＳを受信したタイミングと関連フィードバック情報生成の結果を得るタイミングの間の大きい差は時間遅延によるフィードバック情報の信頼度に問題を発生させて全体システムの性能低下をもたらすことができる。
【００５５】
従って、本発明の一実施形態では端末が１つのサブフレーム内でＮ個のＣＳＩ−ＲＳが送信される場合に、送信されたＣＳＩ−ＲＳのうちで一部のＭ個を選別してチャンネルフィードバック情報を生成する方法を考慮することができる。ここでＮはＭより大きい自然数であり、ＣＳＩ−ＲＳのうちで一部のＭ個を選別する方法は基地局３３１、３３２、３３３と端末３０２が互いに共有している。
【００５６】
先ず、端末３０２が１つのサブフレーム内で最大幾つまでのＣＳＩ−ＲＳを受信してチャンネルフィードバック情報を生成するかを決定すべきである。これに対する第１方法は予め設定されたＣＳＩ−ＲＳリソース個数が存在してそれより超過するＣＳＩ−ＲＳリソースの個数が１つのサブフレーム内に送信される場合には、一部の選別されたＣＳＩ−ＲＳリソースに対してだけフィードバック情報を生成することである。例えば、予め決定したリソースの個数が２の場合に端末は１つのサブフレーム内で３個以上のセルに対するＣＳＩ−ＲＳが送信されるとそのうちで２個のみを選別してフィードバック情報を生成する方法である。
【００５７】
端末が１つのサブフレーム内で最大幾つまでのＣＳＩ−ＲＳを受信してチャンネルフィードバック情報を生成するかを決定する第２方法は予め設定されたＣＳＩ−ＲＳアンテナフォト個数が存在して割り当てられたＣＳＩ−ＲＳリソースに対するアンテナフォト個数の総合が前記予め設定されたＣＳＩ−ＲＳアンテナフォト個数を越すと、その中の一部選別されたＣＳＩ−ＲＳリソースに対してだけフィードバック情報を生成することである。例えば、予め設定されたＣＳＩ−ＲＳアンテナフォト個数が８であり、端末が１つのサブフレーム内で４個のアンテナフォトを有するＣＳＩ−ＲＳリソース２つと２個のアンテナフォトを有するＣＳＩ−ＲＳリソース１個を同時に送信されるようになれば、アンテナフォト数の総合が８を超過となり３つのリソースのうちで２個を選別してフィードバック情報を生成する方法である。
【００５８】
端末が１つのサブフレーム内で最大幾つまでのＣＳＩ−ＲＳを受信してチャンネルフィードバック情報を生成するかを決定する第３方法は、先ず端末が基地局に１つのサブフレームで処理することができるＣＳＩ−ＲＳリソースの個数を報告し、この報告したＣＳＩ−ＲＳリソース個数を基準で、それより超過するＣＳＩ−ＲＳリソースの個数が１つのサブフレーム内に送信される場合には、一部の選別されたＣＳＩ−ＲＳリソースに対してだけフィードバック情報を生成することである。例えば、端末が基地局へ前記報告した可能なＣＳＩ−ＲＳリソースの個数が２の場合に、端末は１つのサブフレーム内で３個以上のセルに対するＣＳＩ−ＲＳが送信されるとそのうちの２個のみを選別してフィードバック情報を生成する方法である。
【００５９】
これから端末が１つのサブフレーム内でＮ個のＣＳＩ−ＲＳを送信される場合に、本発明で考慮する送信されたＣＳＩ−ＲＳのうちで一部のＭ個を選別してチャンネルフィードバック情報を生成する方法を考慮する。前記送信されたＣＳＩ−ＲＳのうちで一部を選別する第１方法は送信されたＣＳＩ−ＲＳ割り当てのインデックスによる方法である。前述べしたように各ＣＳＩ−ＲＳリソース割り当てはリソースブロック内の位置とICSI-RSのように前記送信タイミング情報そしてアンテナフォト個数及びＣＳＩ−ＲＳの送信電力情報を含むように構成され、このようなＣＳＩ−ＲＳリソース割り当ては基地局から端末にＲＲＣ(ｒａｄｉｏ ｒｅｓｏｕｒｃｅ ｃｏｎｔｒｏｌ)信号を通じて伝達されて各割り当ては固有のインデックスを有するようになる。即ち、端末が送信されたＣＳＩ−ＲＳのうちで一部のＭ個を選別する第１方法はＮ個のＣＳＩ−ＲＳのうちで低いインデックスを有するＣＳＩ−ＲＳ手順でＭ個を選別してチャンネルフィードバック情報を生成することである。例えば、端末が推定することができる最大ＣＳＩ−ＲＳリソースの個数が２の場合に端末は１つのサブフレーム内で３個のセルに対するＣＳＩ−ＲＳが送信され、各ＣＳＩ−ＲＳリソース割り当てインデックスが１、２、３で与えられると端末は１番と２番にインデックスに該当するＣＳＩ−ＲＳを推定してチャンネルフィードバック情報を生成する。
【００６０】
端末が１つのサブフレーム内でＮ個のＣＳＩ−ＲＳが送信される場合にＣＳＩ−ＲＳのうちで一部のＭ個を選別する第２方法は基地局がＣＳＩ−ＲＳリソースを割り当てるＲＲＣ信号と共に優先順位を含むＲＲＣ信号を追加で端末へ伝達し、端末がＮ個のＣＳＩ−ＲＳうちで高い優先順位を有するＣＳＩ−ＲＳ手順でＭ個を選別してチャンネルフィードバック情報を生成することである。例えば、端末が推定することができる最大ＣＳＩ−ＲＳリソースの個数が２の場合に端末は１つのサブフレーム内で３個のセルに対するＣＳＩ−ＲＳが送信され、各ＣＳＩ−ＲＳリソース割り当てと共に優先順位を含むＲＲＣ信号をそれぞれ１、２、３で割り当てられると端末は１番と２番の優先順位に該当するＣＳＩ−ＲＳを推定してチャンネルフィードバック情報を生成する。前記優先順位に対するＲＲＣ信号を用いるＣＳＩ−ＲＳ選別方法はサービングセルに該当するＣＳＩ−ＲＳを指示するＲＲＣ信号を用いてＣＳＩ−ＲＳ１個を選別する方法を含む。即ち、基地局はＣＳＩ−ＲＳリソースを割り当てながら当該ＣＳＩ−ＲＳがサービングセルに該当するか否かを指示するビットを共に端末へ伝達することができ、端末はＮ個のＣＳＩ−ＲＳのうちで別途の優先順位に対するＲＲＣ信号無しにサービングセルに該当するかに対するＲＲＣ信号を見てサービングセルに該当するＣＳＩ−ＲＳに対してだけチャンネルを推定してフィードバック情報を生成することである。
【００６１】
端末が１つのサブフレーム内でＮ個のＣＳＩ−ＲＳが送信される場合にＣＳＩ−ＲＳのうちで一部のＭ個を選別する第３方法は端末が基地局へ報告したＣＳＩ−ＲＳのＲＳＲＰ(ｒｅｆｅｒｅｎｃｅ ｓｉｇｎａｌ ｒｅｃｅｉｖｅｄ ｐｏｗｅｒ)情報に基づいて送信されたＮ個のＣＳＩ−ＲＳのうちで最も最近に報告したＲＳＲＰが大きい値を有する手順でＭ個を選別してチャンネルフィードバック情報を生成することである。端末はＣＳＩ−ＲＳが割り当てられると、各ＣＳＩ−ＲＳに対する受信強度をＲＳＲＰ情報で上位信号を通じて基地局に報告する。従って、ＲＳＲＰが大きいＣＳＩ−ＲＳはチャンネル推定正確度が高いということを意味し、前記最も最近に報告したＲＳＲＰが大きい値を有する手順でＣＳＩ−ＲＳＭ個を選別すればチャンネルフィードバック情報の信頼度が高くなる。
【００６２】
図６は、本発明の一実施形態により前記端末が１つのサブフレーム内でＮ個のＣＳＩ−ＲＳが送信される場合に、送信されたＣＳＩ−ＲＳのうちで一部のＭ個を選別してチャンネルフィードバック情報を生成する方法に対する端末動作を示す。
【００６３】
図６を参照すれば、端末は先ず６０１段階で基地局から伝達された測定集合内の各ＣＳＩ−ＲＳリソースに対する割り当て情報を確認する。前述したように各ＣＳＩ−ＲＳリソース割り当て情報は当該ＣＳＩ−ＲＳのリソースブロック内の位置とICSI-RSのように前記送信タイミング情報、そしてアンテナフォト個数及びＣＳＩ−ＲＳの送信電力情報を含むように構成され、追加に前述したＣＳＩ−ＲＳリソースの優先順位情報又はサービングセル当該有無情報を含むこともできる。
【００６４】
端末は６０２段階で当該特定サブフレームでＭ個を超過するＣＳＩ−ＲＳが同時に送信されるかどうかの否かを確認する。ここでＭは前述したように予め設定されたＣＳＩ−ＲＳリソース割当個数であることもでき、アンテナフォト個数を通じて誘導されることもでき、端末が基地局へ報告した値であることができる。もし、６０２段階で当該サブフレームでＭ個以下のＣＳＩ−ＲＳが送信されると確認されると、端末は６０３段階で送信されたすべてのＣＳＩ−ＲＳに該当するチャンネルを推定して当該フィードバック情報を生成する。一方に、６０２段階で当該サブフレームでＭ個超過のＣＳＩ−ＲＳが送信されるということが確認されると端末は６０４段階で送信されたＣＳＩ−ＲＳのうちでＭ個を選別する作業を行う。ここでＭ個のＣＳＩ−ＲＳを選別する作業は前述したようにＣＳＩ−ＲＳリソース割り当てインデックスによることもでき、別途の優先順位に対するＲＲＣ情報によることもでき、最も最近に報告したＲＳＲＰ値によりＭ個を選別することもできる。６０４段階でＭ個のＣＳＩ−ＲＳを選別すれば端末は６０５段階で選別されたＣＳＩ−ＲＳに該当するチャンネルを推定した後、これを用いてフィードバック情報を生成する。
【００６５】
端末が１つのサブフレーム内でＮ個のＣＳＩ−ＲＳが送信される場合に、本発明で考慮する送信されたＣＳＩ−ＲＳのうちで一部のＭ個を選別してチャンネルフィードバック情報を生成する更に１つの方法は、送信されたＣＳＩ−ＲＳに該当するアンテナフォト個数を活用する方法である。前述したように各ＣＳＩ−ＲＳリソース割り当てはリソースブロック内の位置とICSI-RSのように前記送信タイミング情報、そしてアンテナフォト個数及びＣＳＩ−ＲＳの送信電力情報を含む。この時、端末が送信されたＣＳＩ−ＲＳのうちで一部のＭ個を選別する方法はＮ個のＣＳＩ−ＲＳのうちでアンテナフォト個数が大きいＣＳＩ−ＲＳを先ず選別し、この後、同じアンテナフォト個数を有するＣＳＩ−ＲＳに対しては前記図６で説明したＣＳＩ−ＲＳ選別方法を用いることである。例えば、端末が推定することができる最大ＣＳＩ−ＲＳリソースの個数が２の場合に、端末は１つのサブフレーム内で３個のセルに対するＣＳＩ−ＲＳが送信され、各ＣＳＩ−ＲＳリソース割り当てに対するアンテナフォト個数が２、２、４で与えられると端末はアンテナフォト個数が４で最もＣＳＩ−ＲＳを先ず選別し、残りアンテナフォト個数が２である２つのＣＳＩ−ＲＳに対してはＣＳＩ−ＲＳ割り当てインデックス、優先順位に対するＲＲＣ情報又はＲＳＲＰ情報により、２つのうちで１つのＣＳＩ−ＲＳを選別し、該当するＣＳＩ−ＲＳを推定してチャンネルフィードバック情報を生成する。
【００６６】
最終的に、端末は１つのサブフレーム内で与えられたＭ個超過のＣＳＩ−ＲＳが送信される場合に端末は当該サブフレームで送信されたすべてのＣＳＩ−ＲＳに対してチャンネルフィードバック情報を生成しない方法も考えることができる。
【００６７】
図７は、本発明の実施形態による端末の構成を示した図面である。
図７を参照すれば、端末は通信部１０１０、例えば、送受信機と制御部１０２０、例えば制御装置又はマイクロプロセッサーで構成されることができる。ここで端末は通信部１０１０と制御部１０２０で構成されたことで説明しているが、ここに限定されない。即ち、端末は表示部、入力部、記憶部などをさらに備えることができる。
【００６８】
通信部１０１０は、外部からデータを送信又は受信する機能を行う。ここで通信部１０１０は制御部１０２０の制御下にＣｏＭＰ技術のための基準信号を受信して推定されたチャンネル情報等を中央制御装置へ送信することができる。
【００６９】
制御部１０２０は、図６で説明した方法により端末を構成するすべての構成の状態及び動作を制御する。ここで制御部１０２０は端末が割り当てられた測定集合内の各ＣＳＩ−ＲＳの測定タイミングを確認してＭ個超過のＣＳＩ−ＲＳが同じサブフレームで送信される場合に前述した優先順位によりＭ個のＣＳＩ−ＲＳを選別してチャンネル推定部のチャンネルを推定するか否かを制御する。
【００７０】
制御部１０２０は、中央制御装置から受信される測定集合関連情報を確認し、これにより選別されたＣＳＩ−ＲＳを用いてチャンネルを推定する。
【００７１】
図８は、本発明の実施形態による中央制御装置の構成を示す図面である。
図８を参照すれば、中央制御装置は制御部１１１０、例えば制御装置又はマイクロプロセッサーと通信部１１２０、例えば送受信機で構成される。ここで、中央制御装置は通信部１１２０と制御部１１１０で構成されたことで説明しているが、ここに限定されない。例えば中央制御装置は表示部、入力部、記憶部などをさらに備えることができる。
【００７２】
制御部１１１０は、図６で説明した方法により中央制御装置(図示せず)を構成するすべての構成の状態及び動作を制御する。ここで制御部１１１０は端末のチャンネル推定のためのセル別にＣＳＩ−ＲＳをそれぞれのリソースに割り当てて、必要の時、各ＣＳＩ−ＲＳリソース割り当て情報及び優先順位情報を端末に通知する。それのために制御部１１１０はセル別リソース割り当て部をさらに備えることができる。
【００７３】
前記制御部１１１０とは端末がセル別でチャンネルをそれぞれ推定するようにＣＳＩ−ＲＳをそれぞれのリソース及びタイミングを割り当てて、当該リソースを用いて当該タイミングにＣＳＩ−ＲＳを前記通信部１１２０を通じて送信する。それぞれセル別に割り当てられるリソースは各セルのチャンネル推定のためのＣＳＩ−ＲＳに対応されるように割り当てられる。
【００７４】
通信部１１２０は端末又は自分が管理するセルとデータを送受信する機能を行う。ここで通信部１１２０は制御部１１１０の制御下に割り当てられたリソースで約束されたタイミングにＣＳＩ−ＲＳを端末で送信する。
【００７５】
本明細書及び図面に開示された本発明の実施形態は、本発明の技術内容を容易に説明して本発明の理解を助けるために特定例を提示したことであって、本発明の範囲を限定しようとするものではない。ここに開示された実施形態の以外にも本発明の技術的思想に基づいた他の変形形態が実施可能であるということは本発明が属する技術分野で通常の知識を有する者に自明なものである。
【符号の説明】
【００７６】
３００、３１０、３２０  セル
３０１、３１１、３２１  端末
３３１、３３２、３３３  基地局
３３０  中央制御装置
【図１】
2015520579.tif 000005
【図２】
2015520579.tif 000006
【図３】
2015520579.tif 000007
【図４】
2015520579.tif 000008
【図５】
2015520579.tif 000009
【図６】
2015520579.tif 000010
【図７】
2015520579.tif 000011
【図８】
2015520579.tif 000012
【国際調査報告】
2015520579.tif 000013
2015520579.tif 000014
2015520579.tif 000015
2015520579.tif 000016